(57)【特許請求の範囲】
【請求項１】
断面が長方形の水路の水路底を横断して１列に設置したアンカーボルトと主押え板とが、空気を排出したとき平らな長方形に縮む３辺が閉じ１辺が開いたゴム引布製の空気袋の開いた辺を水路底に押え付けることによって、開いた辺を密閉しつつ、水路底に空気袋を固定する。
上記主押え板の上面に十分な強度を有するゴム引布製の繋ぎ板の１辺をボルトと押え板によって強固に固定し、他の辺を堰幅より少し小さい幅方向の寸法と、起立時に必要な起立高を確保するために必要な長さを有し、上部を下流側に傾けると同時に、下端を主押え板の下流側の縁に接近させつつ空気袋の上に置いた鋼製扉体の下部の上面に、ボルトと押え板によって強固に固定することによって主押え板に鋼製扉体を起伏自在に繋留すると同時に、両者間の漏水を防止する。
さらに、水路底の空気袋より下流側の適当な位置に設置したアンカーボルトと押え板で一端を固定した、十分な強度を有するゴム引布製の帯の他端を、鋼製扉体の下面の空気袋が接触するより上側の適当な位置にボルトと押え板で固定することにより、鋼製扉体が所定の姿勢まで起立したときに、この帯に作用する張力のために扉体が停止するようにして主起伏ゲートとする。
この主起伏ゲートの下流側の適当に低い水路底を横断して１列に設置したアンカーボルトと主押え板とが、空気を排出したとき平らな長方形に縮む３辺が閉じ１辺が開いたゴム引布製の空気袋の開いた辺を水路底に押え付けることによって、開いた辺を密閉しつつ、水路底に空気袋を固定する。
主起伏ゲートの下流側に設置した主押え板の上面に十分な強度を有するゴム引布製の繋ぎ板の１辺をボルトと押え板によって強固に固定し、他の辺を堰幅より少し小さい幅方向の寸法と、起立時に必要な起立高を確保するために必要な長さを有し、上部を上流側に傾けると同時に、下端を主押え板の上流側の縁に支持されつつ空気袋の上に置いた鋼製扉体の下部の上面に、ボルトと押え板によって強固に固定することによって主押え板に鋼製扉体を起伏自在に組み付けると同時に、両者間の漏水を防止する。
さらに、水路底の空気袋より上流側の適当な位置に設置したアンカーボルトと押え板で一端を固定した、十分な強度を有するゴム引布製の帯の他端を、鋼製扉体の下面の空気袋が接触するより上側の適当な位置にボルトと押え板で固定することにより、鋼製扉体が所定の姿勢まで起立したときに、この帯に作用する張力のために扉体が停止するようにして副起伏ゲートとする。
加えて、上記主起伏ゲートの鋼製扉体の先端に、扉体の起伏運動の回転中心と平行な回転中心を有するようにして、扉体に対して回転自由に取り付けた導流板の下面が、副起伏ゲートの鋼製扉体の先端に、該扉体の起伏運動の回転中心と平行な軸によって取り付けたローラーに常に支持されるようにする。
同時に、主・副両起伏ゲートの鋼製扉体はその起伏運動に際して相互に干渉しない間隔に両起伏ゲートの回転中心を位置決めし、また主起伏ゲートの扉体の先端を越えた水と流芥が、導流板と副起伏ゲートの扉体の上面を伝わって下流に流れ去るよう、主起伏ゲートの鋼製扉体の起立高さが副起伏ゲートの鋼製扉体の起立高さよりも高くなるようそれぞれのゴム引布製の帯の長さを決定する。
このように構成した上で、陸上の空気操作装置から両起伏ゲートの空気袋に別々の空気管を接続し、それぞれの空気袋の内に空気操作装置から圧縮空気を圧入すれば、空気袋が膨張してそれぞれの扉体を独立して起立させることが可能であり、逆に、それぞれの空気袋から圧力を有する空気を排出すれば、空気袋が縮小してそれぞれの扉体を独立して倒伏させることが可能であるようにし、空気操作装置による両空気袋の膨張と縮小の多様な組み合わせにより、主起伏ゲートの起立高と、導流板と副起伏ゲートの上を流下する水の状況を多様に変化させることが可能であるようにしたことを特徴とする起伏ゲート。
【請求項２】
請求項１の起伏ゲートにおいて、主押え板に鋼製扉体を繋留するゴム引布製の繋ぎ板の代りに、主起伏ゲートにおいては主押え板の下流側の縁から突起した軸受と扉体の下端の軸受とを回転軸によって結合して主押え板に扉体を起伏自在に取付けすると同時に、副起伏ゲートにおいては主押え板の上流側の縁から突起した軸受と扉体の下端の軸受とを回転軸によって結合して主押え板に扉体を起伏自在に取付けし、加えて主・副両起伏ゲートにおいてそれぞれ１枚のゴム板を主押え板の上面と扉体の下端の上面とに、それぞれボルトと押え板によって取り付けて、主押え板と扉体の間の漏水を防止するようにしたことを特徴とする起伏ゲート。
【請求項３】
請求項１または２の起伏ゲートにおいて、ゲート幅の小さい起伏ゲートを、扉体の回転中心の延長方向に並べて設置することにより幅の大きい水路の起伏ゲートとしたことを特徴とする起伏ゲート。
【請求項４】
請求項１ないし３のいずれかの起伏ゲートにおいて、主・副両起伏ゲートの鋼製扉体を下から支持するよう水路底に固定した空気袋の代りに、水路底に設置したシリンダに陸上の流体操作装置から各々独立した管路を接続し、流体を圧入すればシリンダが伸びるので鋼製扉体がそれぞれ起立し、逆にシリンダから圧力を有する流体を排出すれば、シリンダが縮むので鋼製扉体がそれぞれ倒伏するように構成したことを特徴とする起伏ゲート。
【発明の詳細な説明】
【０００１】
【発明の属する技術分野】
この発明は、水路の底部に設けた回転軸によって自在に起立または倒伏を行なうことにより、水路の流水を堰上げまたは放流する目的で使用される起伏ゲートに関するものである。
【０００２】
【従来の技術】
従来、起伏ゲートとしては、水圧力を受ける鋼板（止水板）に対し十分に強固な横桁や縦桁を配置した鋼製扉体の頭部にワイヤロープやチェーンを取り付けて、これを陸上の巻上機で巻き取りまたは巻き戻して起立または倒伏の操作をする形式のものや、同様の鋼製扉体を下流側水路底に設けた油圧シリンダで押し上げて起立させ、逆に油圧シリンダを縮めて倒伏させる形式のものなどが種々開発され、使用されてきた。
【０００３】
また近年は、ゴム引布製の柔軟で強固な帯で水路底に繋留した鋼製扉体の下流の根本部に設置した空気袋の内部に空気を圧入して空気袋を膨張させることにより鋼製扉体を起立させ、逆に空気袋から圧力を有する空気を排出することにより、空気袋が縮んで鋼製扉体を倒伏させる形式のものも開発されて使用されている。
【０００４】
【発明が解決しようとする課題】
ところで、起伏ゲートは、水路を流れて来た水が一旦は堰止められるけれどその鋼製扉体の先端を越流してさらに下流に流れていく構造であり、水の増減に順応しやすい経済性、安全性、操作性などに優れたゲートである。
【０００５】
しかし最近では、ゲート部の景観や近隣に迷惑の及ばない起伏ゲートを求める市民の声が強くなった。すなわち、１）起伏ゲートに関しては越流していないとき、起伏ゲートを下流側から見ると、如何にも機械装置のようで武骨でなじみにくい。２）多量に越流しているときは荒々しく感じ、落下する水の音も大きくて迷惑である。３）魚や水中生物の生活環境を分断して環境に悪い影響がある。等々である。
【０００６】
この発明は以上のように、「親しみやすい起伏ゲート」を求める周辺の市民の声に対応する、新しい起伏ゲートを提供しようとするものである。
【０００７】
【課題を解決するための手段】
この発明では、このような最近の社会が求める環境に優しい起伏ゲートを実現するために、従来のように上部を下流側に傾けて１枚の鋼製扉体を起立または倒伏させることにより、流水の堰上げまたは放流を行う主起伏ゲートの下流側の適当に低い水路底の主起伏ゲートと干渉しない位置に、上部を上流側に傾けた主起伏ゲートの回転中心と平行の回転中心を有するもう１枚の鋼製扉体を自在に起立または倒伏させるように設置して副起伏ゲートとし、加えて主起伏ゲートの扉体の先端に回転自由に取り付けた導流板により主起伏ゲートの扉体を越流する水や流芥が、導流板や副起伏ゲートの扉体の上面を伝って下流に支障なく流下するようにする。
【０００８】
このように構成すれば、主起伏ゲートの鋼製扉体は、起伏ゲート本来の流水を堰上げしたり放流したりする機能を担当し、導流板と副起伏ゲートの鋼製扉体は主起伏ゲートによって生じた水面の落差を流下する水の勢いを分散して景観の荒々しさや騒音を和らげると同時に、下流側からの起伏ゲートの景観を自然の河川の急流部に似たものとして親しみやすくする機能を担当して、全体として環境に優しい起伏ゲートとすることができる。
【０００９】
【発明の実施の形態】
以下、この発明の起伏ゲートの実施の形態を、図面に基いて詳細に説明する。
【００１０】
図１、図２、図３、図４、図５ならびに図６はこの発明の起伏ゲートの１実施例を示すものであり、図１は起立状態の起伏ゲートの断面図であり、図２は倒伏状態の起伏ゲートの断面図であり、図３は主起伏ゲートの扉体と導流板の説明図であり、図４は副起伏ゲートの扉体の説明図であり、図５は主起伏ゲートの空気袋の説明図であり、図６は副起伏ゲートの空気袋の説明図である。
【００１１】
図１ならびに図２において、断面が長方形の水路の底部１に水路を横断して１列に設置したアンカーボルト２が主押え板３によって、空気を排出したとき、平らな長方形に縮小する３辺が閉じ１辺が開いたゴム引布製の空気袋４の開いた辺を水路底１に押え付けることによって、開いた辺を密閉しつつ空気袋４を水路底１に固定する。
【００１２】
この空気袋４の開いた辺の端部には樹脂製のロッド５によって補強繊維の折曲半径が過小とならないように保護した補強繊維の折返し部６があり、主押え板３の上流の面７ならびに水路底１の凸部の上流の面８に掛かって、空気袋４の開いた辺が、空気袋４に作用する張力によって所定の位置から引抜かれないようにする。
【００１３】
次に、主押え板３の上面に十分な強度を有するゴム引布製の繋ぎ板９の１辺をボルト１０と押え板１１によって強固に固定し、他の辺を堰幅より少し小さい幅方向の寸法と起立時に必要な起立高を確保するために必要な長さを有し、上部を下流側に傾けると同時に、下端１２を主押え板３の下流側の縁に接近させつつ空気袋４の上に置いた鋼製扉体１３の下部の上面にボルト１４と押さえ板１５によって強固に固定することによって、主押え板３に対し扉体１３を起伏自在に繋留すると同時に両者間の漏水を防止する。
【００１４】
さらに、水路底１の空気袋４より下流側の適当な位置に設置したアンカーボルト１６と押え板１７で一端を固定した、十分な強度を有するゴム引布製の帯１８の他端を、鋼製扉体１３の下面の空気袋４が接触するより上側の適当な位置にボルト１９と押え板２０で固定することにより、扉体１３が所定の姿勢まで起立したときにはこの帯１８に作用する張力のために扉体１３が停止するようにする。
【００１５】
このアンカーボルト２、主押え板３、空気袋４、繋ぎ板９、扉体１３、アンカーボルト１６、帯１８等で構成される起伏ゲートを主起伏ゲートと定める。
【００１６】
この主起伏ゲートの下流側の適当に低い水路底２１を横断して１列に設置したアンカーボルト２２と主押え板２３とが、空気を排出したとき、平らな長方形に縮小する３辺が閉じ１辺が開いたゴム引布製の空気袋２４の開いた辺を水路底２１に押え付けることによって開いた辺を密閉しつつ、空気袋２４を水路底２１に固定する。この空気袋２４の開いた辺の端部には樹脂製のロッド２５によって補強繊維の折曲半径が過小とならないように保護した補強繊維の折返し部２６があり、主押え板２３の上流の面２７ならびに水路底２１の凸部の上流の面２８に掛かって、空気袋２４の開いた辺が、空気袋２４に作用する張力によって所定の位置から引抜かれないようにする。
【００１７】
次に、主押え板２３の上面に十分な強度を有するゴム引布製の繋ぎ板２９の１辺をボルト３０と押え板３１によって強固に固定し、他の辺を堰幅より少し小さい幅方向の寸法と起立時に必要な起立高を確保するために必要な長さを有し、上部を上流側に傾けると同時に、下端３２を主押え板２３の上流側の縁３３に支持させつつ空気袋２４の上に置いた鋼製扉体３４の下部の上面にボルト３５と押え板３６によって強固に固定することによって、主押え板２３に対し扉体３４を起伏自在に繋留すると同時に両者間の漏水を防止する。
【００１８】
さらに、水路底２１の空気袋２４より上流側の適当な位置に設置したアンカーボルト３７と押え板３８で一端を固定した、十分な強度を有するゴム引布製の帯３９の他端を、扉体３４の下面の空気袋２４が接触するより上流側の適当な位置にボルト４０と押え板４１で固定することにより、扉体３４が所定の姿勢まで起立したときにはこの帯３９に作用する張力のために扉体３４が停止するようにする。このアンカーボルト２２、主押え板２３、空気袋２４、繋ぎ板２９、扉体３４、アンカーボルト３７、帯３９等で構成され、主起伏ゲートと逆向きの起伏ゲートを副起伏ゲートと定める。このとき、副起伏ゲートの回転中心は、主起伏ゲートの回転中心と平行であり、同時に主起伏ゲートの回転中心より適当に低く設定する。加えて、主・副両起伏ゲートの回転中心は適当な距離を保って設定されるので、扉体１３と扉体３４はその起伏運動に際して相互に干渉することがない。さらに主起伏ゲートの扉体１３の先端の軸受４２に、その上流端の軸受４３を軸４４によって回転自由に取り付けられた導流板４５の下面が、副起伏ゲートの扉体３４の先端に、扉体３４の起伏運動の回転中心と平行な軸４６によって取り付けた回転自由なローラー４７に支持されるよう、扉体１３、扉体３４、導流板４５の形状と寸法が勘案してある。すなわち、主起伏ゲートの扉体１３の先端を越えた水と流芥が、導流板４５と副起伏ゲートの扉体３４の上面を伝わって下流に流れ去るよう、主起伏ゲートの鋼製扉体１３の起立高さが副起伏ゲートの鋼製扉体３４の起立高さよりも高くなるようそれぞれのゴム引布製の帯１８，３９の長さを決定してある。
【００１９】
このように構成した上で両起伏ゲートの陸上の空気操作装置から両起伏ゲートの空気袋４と空気袋２４に別々の空気管を接続する。すなわち、図１および図２に示すように、主起伏ゲートの空気袋４の口金４８に接続した空気管４９は水路のコンクリートに埋設するなどして陸上に導き、空気操作装置の排気用開閉弁５０、排気用流量調整弁５１、排気放出部５２、給気用開閉弁５３、給気用流量調整弁５４、空気圧縮機５５に接続すると同時に、副起伏ゲートの空気袋２４の口金５６に接続した空気管５７は水路のコンクリートに埋設するなどして陸上に導き、空気操作装置の排気用開閉弁５８、排気用流量調整弁５９、排気放出部６０、給気用開閉弁６１、給気用流量調整弁６２、空気圧縮機５５に接続する。
【００２０】
その上で、空気圧縮機５５から給気用流量調整弁５４、給気用開閉弁５３、空気管４９、口金４８を経由して空気袋４の内部に空気を圧入した結果、空気袋４が膨張して扉体１３が起立し、同時に空気圧縮機５５から給気用流量調整弁６２、給気用開閉弁６１、空気管５７、口金５６を経由して空気袋２４の内部に空気を圧入した結果、空気袋２４が膨張して扉体３４が起立した状態を図１に示す。起立した扉体１３の先端の軸受４２に、その上流端の軸受４３を軸４４によって回転自由に取り付けられた導流板４５の下流側の下面が、扉体３４の先端に軸４６によって取り付けられたローラー４７に支持されている。そして導流板４５と扉体３４の上面は下流に向かって緩やかな下り勾配となっているので、扉体１３の先端を越えた流水は穏やかに導流板４５と扉体３４の上を流れ下ることができる。
【００２１】
他方、空気圧縮機５５を停止し、給気用開閉弁５３と給気用開閉弁６１を閉じ、排気用開閉弁５０を開いて空気袋４の内部の圧力を有する空気を排気用流量調整弁５１によって制御しつつ排気放出部５２から大気中へ放出した結果、空気袋４が平らに縮小して扉体１３が倒伏し、同時に排気用開閉弁５８を開いて空気袋２４の内部の圧力を有する空気を排気用流量調整弁５９によって制御しつつ排気放出部６０から大気中へ放出した結果、空気袋２４が平らに縮小して扉体３４が倒伏した状態を図２に示す。倒伏した扉体１３の先端の軸受４２に、その上流端の軸受４３を軸４４によって回転自由に取り付けられた導流板４５の下流側の下面が扉体３４の先端に軸４６によって取り付けられたローラー４７に支持されている。そして扉体１３、導流板４５ならびに扉体３４の上面は全体として下流に向かって緩やかな下り勾配となっているので、流水は穏やかに流れ下ることができる。このとき、軸受４２は支持台６９に支持され、ローラー４７は支持台７０に支持されるので、扉体１３、導流板４５ならびに扉体３４は安定している。
【００２２】
図３は扉体１３と導流板４５の説明図である。扉体１３の下端１２は主押え板３の厚さにほぼ等しい直径の丸棒鋼であり、これに沿って繋ぎ板９を固定するボルト１４と合わせた雌ねじ６３が１列にあり、その上方には帯１８の他端を固定するボルト１９と合わせた雌ねじ６４が設けてある。そして、扉体１３の先端の軸受４２には導流板４５の上流端の軸受４３が軸４４によって回転自由に取り付けられる。
【００２３】
図４は扉体３４の説明図である。扉体３４の下端３２は主押え板２３の厚さにほぼ等しい直径の丸棒鋼であり、これに沿って繋ぎ板２９を固定するボルト３５と合わせた雌ねじ６５が１列にあり、その上方には帯３９の他端を固定するボルト４０と合わせた雌ねじ６６が設けてある。そして、扉体３４の先端の軸受には軸４６によってローラー４７が回転自由に取り付けられている。
【００２４】
図５は空気袋４の説明図である。空気袋４は空気を排出したとき、平らな長方形に縮小する３辺が閉じ１辺が開いたゴム引布製の部品であり、開いた辺に沿ってアンカーボルト２が貫通する孔６７が１列に設けてある。また開いた辺の端部には、樹脂製のロッド５によって補強繊維の折曲半径が過小とならないように保護した補強繊維の折返し部６がある。さらに、空気袋４の下面の幅の中央で開いた辺に近い位置には口金４８があって空気管４９を接続するようになっている。
【００２５】
図６は空気袋２４の説明図である。空気袋２４は空気を排出したとき、平らな長方形に縮小する３辺が閉じ１辺が開いたゴム引布製の部品であり、開いた辺に沿ってアンカーボルト２２が貫通する孔６８が１列に設けてある。また開いた辺の端部には、樹脂製のロッド２５によって補強繊維の折曲半径が過小とならないように保護した補強繊維の折返し部２６がある。さらに、空気袋２４の下面の幅の中央で開いた辺に近い位置には口金５６があって空気管５７を接続するようになっている。
【００２６】
図７、図８、図９ならびに図１０はこの発明の起伏ゲートの他の実施例を示すものであり、図７は起立状態の起伏ゲートの断面図であり、図８は倒伏状態の起伏ゲートの断面図であり、図９は主起伏ゲートの主押え板と扉体ならびに導流板の説明図であり、図１０は副起伏ゲートの主押え板と扉体の説明図である。
【００２７】
図７ならびに図８において、断面が長方形の水路の底部１に水路を横断して１列に設置したアンカーボルト２が主押え板９０によって、空気を排出したとき、平らな長方形に縮小する３辺が閉じ１辺が開いたゴム引布製の空気袋４の開いた辺を水路底１に押え付けることによって、開いた辺を密閉しつつ空気袋４を水路底１に固定する。この空気袋４の開いた辺の端部には樹脂製のロッド５によって補強繊維の折曲半径が過小とならないように保護した補強繊維の折返し部６があり、主押え板９０の上流の面７ならびに水路底１の凸部の上流の面８に掛かって、空気袋４の開いた辺が、空気袋４に作用する張力によって所定の位置から引抜かれないようにする。一方、主押え板９０の下流側に突起した軸受９１が扉体１３の下端に突起した軸受９２と軸９３によって回転自由に組み合わされるから扉体１３は水路底１において起伏自在である。
【００２８】
また１枚のゴム板９４の１辺をボルト９５と押え板９６によって主押え板９０の上面に固定し、他の辺をボルト９７と押え板９８によって扉体１３の下部の上面に固定することにより主押え板９０と扉体１３の間の漏水を防止する。さらに、水路底１の空気袋４より下流側の適当な位置に設置したアンカーボルト１６と押え板１７で一端を固定した、十分な強度を有するゴム引布製の帯１８の他端を、鋼製扉体１３の下面の空気袋４が接触するより上側の適当な位置にボルト１９と押え板２０で固定することにより、扉体１３が所定の姿勢まで起立したときにはこの帯１８に作用する張力のために扉体１３が停止するようにする。このアンカーボルト２、主押え板９０、空気袋４、ゴム板９４、扉体１３、アンカーボルト１６、帯１８等で構成される起伏ゲートを主起伏ゲートと定める。
【００２９】
この主起伏ゲートの下流側の適当に低い水路底２１を横断して１列に設置したアンカーボルト２２と主押え板９９とが、空気を排出したとき、平らな長方形に縮小する３辺が閉じ１辺が開いたゴム引布製の空気袋２４の開いた辺を水路底２１に押え付けることによって開いた辺を密閉しつつ、空気袋２４を水路底２１に固定する。
【００３０】
この空気袋２４の開いた辺の端部には樹脂製のロッド２５によって補強繊維の折曲半径が過小とならないように保護した補強繊維の折返し部２６があり、主押え板９９の上流の面２７ならびに水路底２１の凸部の上流の面２８に掛かって、空気袋２４の開いた辺が、空気袋２４に作用する張力によって所定の位置から引抜かれないようにする。一方、主押え板９９の上流側に突起した軸受１００が扉体３４の下端に突起した軸受１０１と軸１０２によって回転自由に組み合わされるから扉体３４は水路底２１において起伏自在である。
【００３１】
また１枚のゴム板１０３の１辺をボルト１０４と押え板１０５によって主押え板９９の上面に固定し、他の辺をボルト１０６と押え板１０７によって扉体３４の下部の上面に固定することにより主押え板９９と扉体３４の間の漏水を防止する。さらに、水路底２１の空気袋２４より上流側の適当な位置に設置したアンカーボルト３７と押え板３８で一端を固定した、十分な強度を有するゴム引布製の帯３９の他端を、鋼製扉体３４の下面の空気袋２４が接触するより上端の適当な位置にボルト４０と押え板４１で固定することにより、扉体３４が所定の姿勢まで起立したときには、この帯３９に作用する張力のために扉体３４が停止するようにする。このアンカーボルト２２、主押え板９９、空気袋２４、ゴム板１０３、扉体３４、アンカーボルト３７、帯３９等で構成され、主起伏ゲートと逆向きの起伏ゲートを副起伏ゲートと定める。
【００３２】
このとき、副起伏ゲートの回転中心は、主起伏ゲートの回転中心と平行であり、同時に主起伏ゲートの回転中心より適当に低く設定する。加えて、主・副両起伏ゲートの回転中心は適当な距離を保って設定されるので、扉体１３と扉体３４はその起伏運動に際して相互に干渉することがない。さらに主起伏ゲートの扉体１３の先端の軸受４２に、その上流端の軸受４３を軸４４によって回転自由に取り付けられた導流板４５の下面が、副起伏ゲートの扉体３４の先端に、扉体３４の起伏運動の回転中心と平行な軸４６によって取り付けた回転自由なローラー４７に支持されるよう、扉体１３、扉体３４、導流板４５の形状と寸法が勘案してある。
【００３３】
このように構成した上で両起伏ゲートの陸上の空気操作装置から両起伏ゲートの空気袋４と空気袋２４に別々の空気管を接続する。すなわち、図７および図８に示すように、主起伏ゲートの空気袋４の口金４８に接続した空気管４９は水路のコンクリートに埋設するなどして陸上に導き、空気操作装置の排気用開閉弁５０、排気用流量調整弁５１、排気放出部５２、給気用開閉弁５３、給気用流量調整弁５４、空気圧縮機５５に接続する。と同時に、副起伏ゲートの空気袋２４の口金５６に接続した空気管５７は水路のコンクリートに埋設するなどして陸上に導き、空気操作装置の排気用開閉弁５８、排気用流量調整弁５９、排気放出部６０、給気用開閉弁６１、給気用流量調整弁６２、空気圧縮機５５に接続する。
【００３４】
その上で、空気圧縮機５５から給気用流量調整弁５４、給気用開閉弁５３、空気管４９、口金４８を経由して空気袋４の内部に空気を圧入した結果、空気袋４が膨張して扉体１３が起立し、同時に空気圧縮機５５から給気用流量調整弁６２、給気用開閉弁６１、空気管５７、口金５６を経由して空気袋２４の内部に空気を圧入した結果、空気袋２４が膨張して扉体３４が起立した状態を図７に示す。起立した扉体１３の先端の軸受４２に、その上流端の軸受４３を軸４４によって回転自由に取り付けられた導流板４５の下流側の下面が、扉体３４の先端に軸４６によって取り付けられたローラー４７に支持されている。そして導流板４５と扉体３４の上面は下流に向かって緩やかな下り勾配となっているので、扉体１３の先端を越えた流水は穏やかに導流板４５と扉体３４の上を流れ下ることができる。
【００３５】
他方、空気圧縮機５５を停止し、給気用開閉弁５３と給気用開閉弁６１を閉じ、排気用開閉弁５０を開いて空気袋４の内部の圧力を有する空気を排気用流量調整弁５１によって制御しつつ排気放出部５２から大気中へ放出した結果、空気袋４が平らに縮小して扉体１３が倒伏し、同時に排気用開閉弁５８を開いて空気袋２４の内部の圧力を有する空気を排気用流量調整弁５９によって制御しつつ排気放出部６０から大気中へ放出した結果、空気袋２４が平らに縮小して扉体３４が倒伏した状態を図８に示す。倒伏した扉体１３の先端の軸受４２に、その上流端の軸受４３を軸４４によって回転自由に取り付けられた導流板４５の下流側の下面が扉体３４の先端に軸４６によって取り付けられたローラー４７に支持されている。
【００３６】
そして扉体１３、導流板４５ならびに扉体３４の上面は全体として下流に向かって緩やかな下り勾配となっているので、流水は穏やかに流れ下ることができる。このとき、軸受４２は支持台６９に支持され、ローラー４７は支持台７０に支持されるので、扉体１３、導流板４５ならびに扉体３４は安定している。図９は主押え板９０と扉体１３ならびに導流板４５の説明図である。主押え板９０の下流側に突起した軸受９１が扉体１３の下端に突起した軸受９２と軸９３によって回転自由に組み合わされており、同様に扉体１３の先端の軸受４２には導流板４５の上流端の軸受４３が軸４４によって回転自由に組み合わされている。軸９３と軸４４は平行である。
【００３７】
主押え板９０には、アンカーボルト２に合わせた座掘付きの孔１０８と、ボルト９５に合わせた雌ねじ１０９があり、扉体１３にはゴム板９４を固定するボルト９７に合わせた雌ねじ１１０が下端に沿って１列にあり、上方には帯１８を固定するボルト１９に合わせた雌ねじ６４が設けてある。図１０は主押え板９９と扉体３４の説明図である。主押え板９９の上流側に突起した軸受１００が扉体３４の下端に突起した軸受１０１と軸１０２によって回転自由に組み合わされている。主押え板９９にはアンカーボルト２２に合わせた座掘付きの孔１１１と、ボルト１０４に合わせた雌ねじ１１２があり、扉体３４にはゴム板１０３を固定するボルト１０６に合わせた雌ねじ１１３が下端に沿って１列にあり、上方には帯３９を固定するボルト４０に合わせた雌ねじ６６が設けてある。そして、扉体３４の先端の軸受には軸４６によってローラー４７が回転自由に取り付けられている。
【００３８】
上記起伏ゲートにおいて、ゲート幅の小さい起伏ゲートを、扉体の回転中心の延長方向に並べて設置することにより、幅の大きい水路の起伏ゲートとすることができる。
【００３９】
また上記起伏ゲートにおいて、主・副両起伏ゲートの鋼製扉体を下から支持するよう水路底に固定した空気袋の代りに、水路底に設置したシリンダに陸上の流体操作装置から各々独立した管路を接続し、流体を圧入すればシリンダが伸びるので鋼製扉体がそれぞれ起立し、逆にシリンダから圧力を有する流体を排出すれば、シリンダが縮むので鋼製扉体がそれぞれ倒伏するように構成することもできる。
【００４０】
【発明の効果】
この発明の起伏ゲートによれば、上部を下流側に傾けた従来使用されてきたのと同様の起伏ゲートの下流の、起伏運動に際して相互に干渉することのないように離れた低い位置に、従来使用されてきたのと同様の起伏ゲートを逆向きとし、上部を上流側に傾けて設置した上で、上流側の起伏ゲートの扉体の先端に回転自由に取り付けた導流板が、下流側の起伏ゲートの扉体の先端のローラーに支持されて、越流水が支障なく流下するように構成したことにより、種々の効果を得ることができた。すなわち、
ａ）起伏ゲートの景観、特に下流からの景観が非常に穏やかとなった。さらに導流板や下流側扉体の上面に石を張るなどの種々の工夫を加えることにより、その効果を一層高めることができる。
ｂ）起伏ゲートの騒音を少なくすることができた。
ｃ）流木などによる倒伏障害の不安が解消された。
ｄ）主起伏ゲートのある一定の起立状態に対し、副起伏ゲートの起立姿勢を多様に変化させることにより、起伏ゲートの越流状況を変化させれば、噴水と同様な遊び的効果を演出することもできる。
ｅ）起伏ゲートが魚道の機能を兼ねることも可能となった。以上のように、この発明の起伏ゲートは環境との調和に優れた新しい感覚の河川工作物である。
【図面の簡単な説明】
【図１】この発明の起伏ゲートの一実施例を示し、起伏ゲートが起立した状態の断面図である。
【図２】起伏ゲートが倒伏した状態の断面図である。
【図３】主起伏ゲートの扉体と導流板の説明図である。
【図４】副起伏ゲートの扉体の説明図である。
【図５】主起伏ゲートの空気袋の説明図である。
【図６】副起伏ゲートの空気袋の説明図である。
【図７】この発明の起伏ゲートの他の実施例を示し、起伏ゲートが起立した状態の断面図である。
【図８】起伏ゲートが倒伏した状態の断面図である。
【図９】主起伏ゲートの主押え板、扉体ならびに導流板の説明図である。
【図１０】副起伏ゲートの主押え板と扉体の説明図である。
【符号の説明】
１ 底
２ アンカーボルト
３ 主押え板
４ 空気袋
５ ロッド
６ 折返し部
７ 面
８ 面
９ 繋ぎ板
１０ ボルト
１１ 押え板
１２ 下端
１３ 扉体
１４ ボルト
１５ 押え板
１６ アンカーボルト
１７ 押え板
１８ 帯
１９ ボルト
２０ 押え板
２１ 底
２２ アンカーボルト
２３ 主押え板
２４ 空気袋
２５ ロッド
２６ 折返し部
２７ 面
２８ 面
２９ 繋ぎ板
３０ ボルト
３１ 押え板
３２ 下端
３３ 縁
３４ 扉体
３５ ボルト
３６ 押え板
３７ アンカーボルト
３８ 押え板
３９ 帯
４０ ボルト
４１ 押え板
４２ 軸受
４３ 軸受
４４ 軸
４５ 導流板
４６ 軸
４７ ローラー
４８ 口金
４９ 空気管
５０ 排気用開閉弁
５１ 排気用流量調整弁
５２ 排気放出部
５３ 給気用開閉弁
５４ 給気用流量調整弁
５５ 空気圧縮機
５６ 口金
５７ 空気管
５８ 排気用開閉弁
５９ 排気用流量調整弁
６０ 排気放出部
６１ 給気用開閉弁
６２ 給気用流量調整弁
６３ 雌ねじ
６４ 雌ねじ
６５ 雌ねじ
６６ 雌ねじ
６７ 孔
６８ 孔
６９ 支持台
７０ 支持台
９０ 主押え板
９１ 軸受
９２ 軸受
９３ 軸
９４ ゴム板
９５ ボルト
９６ 押え板
９７ ボルト
９８ 押え板
９９ 主押え板
１００ 軸受
１０１ 軸受
１０２ 軸
１０３ ゴム板
１０４ ボルト
１０５ 押え板
１０６ ボルト
１０７ 押え板
１０８ 座掘付きの孔
１０９ 雌ねじ
１１０ 雌ねじ
１１１ 座掘付きの孔
１１２ 雌ねじ
１１３ 雌ねじ
【図１】
0004204064.tif 000002
【図２】
0004204064.tif 000003
【図３】
0004204064.tif 000004
【図４】
0004204064.tif 000005
【図５】
0004204064.tif 000006
【図６】
0004204064.tif 000007
【図７】
0004204064.tif 000008
【図８】
0004204064.tif 000009
【図９】
0004204064.tif 000010
【図１０】
0004204064.tif 000011